(57)【要約】  【目的】  ワイヤに固定される他物が予めワイヤチャックに固定されている状態でも、１人の作業者によって短時間で、容易に、かつ正確にワイヤチャックの位置調整が行えるのであり、又、位置を調整したワイヤチャックを短時間で、簡単に、かつ確実にワイヤに固定することができると共に、ワイヤの滑りや抜け外れが生じない安全性の極めて高い、しかも、安価な抜き通し型ワイヤチャックを提供することを目的とするものである。  【構成】  ボディ２の異径孔３のくさび作用を利用してワイヤ７を挟持する係止部材５を保持するスリーブ４を、ボディ２から異径孔３の大径部１１側の外側に延長し、その先端部にかしめ部分２０を設ける。ボディ２を天板２５に取付けた後、ボディ２とスリーブ４に挿通したワイヤ７を緊張させながら、天板２５を支えている手の指でスリーブ４を引下げてチャック機能を緩和ないし解除し、天板２５の位置を下方修正できる。調整後にかしめ部分２０をワイヤ７にかしめ付けることによりスリーブ４をワイヤ７に強固に固定する。  【選択図】  図１
2005265117.tif 000002
【特許請求の範囲】
【請求項１】
中心軸心に沿って貫通する異径孔を有するボディと、この異径孔に当該異径孔の軸心方向に進退可能に挿入されている中空軸状のスリーブと、このスリーブに当該スリーブの軸心と直交する方向に移動可能に支持させた少なくとも１個の係止部材と、前記異径孔内に配置され、且つ前記スリーブを付勢して前記係止部材を前記異径孔の異径部と前記スリーブに挿通されているワイヤとに押圧するスプリングとを備え、前記スリーブの押圧方向と反対側の一端部を前記ボディ外に突出させ、このスリーブの一端部の前記ボディから所定の距離を置いた位置に当該スリーブに挿通された前記ワイヤにかしめ付けられるかしめ部分が設けられることを特徴とする抜き通し型ワイヤチャック。
【請求項２】
ボディとかしめ部分の間に、当該かしめ部分と同等以上の長さの余長部分と、スリーブをワイヤにかしめ付けた後、前記かしめ部分と余長部分の間で切断工具によりスリーブ及びワイヤを切断するために要する長さの切断代が設けられている請求項１に記載の抜き通し型ワイヤチャック。
【請求項３】
スリーブのボディから突出する部分の周囲につまみが形成されている請求項１又は２に記載の抜き通し型ワイヤチャック。
【請求項４】
スリーブと前記つまみが一体物である請求項３に記載の抜き通し型ワイヤチャック。
【請求項５】
つまみがかしめ部分よりもボディ側に形成されている請求項３又は４に記載の抜き通し型ワイヤチャック。
【請求項６】
つまみとボディの間に所定の隙間が形成されている請求項５に記載の抜き通し型ワイヤチャック。
【請求項７】
つまみの外周面に滑り止め加工が施されている請求項３ないし６のいずれか１項に記載の抜き通し型ワイヤチャック。
【発明の詳細な説明】
【技術分野】
【０００１】
本発明は、例えば天井板、屋内外での看板、屋内外での広告板、垂れ幕、スクリーン、屋内外での案内板、屋内外での掲示板、フック、蛍光灯などの灯具、吊下式黒板、室内の各種装飾品又は陳列用品等の物品を吊下げて確実に支持するためのワイヤチャックに関し、特にワイヤチャック内に抜き通されたワイヤを進退して短時間で容易にワイヤへの固定位置を調整できる上、調整した位置に簡単に、かつ短時間で固定することができると共に、ワイヤの滑りや抜け外れのない安全性が極めて高く、しかも、安価に製造できる抜き通し型ワイヤチャックに関する。
【背景技術】
【０００２】
中心軸心に沿って貫通する異径孔を有するボディと、この異径孔に当該異径孔の軸心方向に進退可能に挿入されている中空軸状のスリーブと、このスリーブに当該スリーブの軸心と直交する方向に移動可能に支持させた少なくとも１個の係止部材と、前記異径孔内に配置され、前記スリーブを付勢して前記係止部材を前記異径孔の異径部と前記スリーブに挿通されているワイヤとに押圧するスプリングとを備え、前記異径孔の小径部側に前記スリーブの一端が前記ボディ外まで延出され、このボディ外に延出された前記スリーブの一端の外周につまみ（ストッパ部材）が設けられている吊垂金具が、次掲の特許文献１に記載されている。
【０００３】
【特許文献１】実公平４−４７４５４号公報
【０００４】
又、この特許文献１には、位置調整後にスリーブに螺合したつまみを締め込んで、スリーブ及び係止部材をワイヤ及びボディに対して固定することにより、設置後の振動により、ワイヤに対するワイヤチャック及び他物が位置ずれしたり、ワイヤからワイヤチャック及び他物が脱落したりすることを防止する技術が記載されている。
【発明の開示】
【発明が解決しようとする課題】
【０００５】
この特許文献１に記載された従来技術では、ワイヤチャックを予めワイヤに固定する他物に連結した状態で、ワイヤに固定すべき位置を越えてワイヤが差込まれた場合に、１人で他物の位置を正確に、かつ短時間で下方に調整すること（下方調整）ができない。
【０００６】
即ち、ワイヤのある高さにワイヤチャックで他物を支持させた状態から他物を落下させることなくその位置を下方に移動させるために、一方の手で他物を支持しながら他方の手でつまみ（ストッパ部材）を下方に押し下げてチャック機能が解除された状態を保持しなければならないのであり、１人の作業者ではこの他にワイヤを緊張させるという作業ができず、ワイヤの緩みのために正確な下方調整をすることが困難である。
【０００７】
又、そのため、徒に下方調整と上方調整とを繰返すことになり、作業時間が長くなる一方、下方調整を正確に行うために、ワイヤを下から引っ張って緊張させるための他の作業者を使うと、労賃が高くなる。
【０００８】
ところで、この種のワイヤチャックには、係止部材をスプリングで押えているため、振動により係止部材が異径孔の内径が大きくなる方向に移動し、ワイヤへの固定が緩んだり、解除されたりして固定位置がずれることや、最悪の場合にはワイヤから脱落することがあるという致命的な課題がある。
【０００９】
前記特許文献１では、スリーブに螺合したつまみ（ストッパ部材）を螺締することにより、ボディに対して係止部材及びスリーブを固定することによりこの課題を解決しているが、この従来技術の構成では、ワイヤに対するワイヤチャックの位置を調整した後、ワイヤをワイヤチャックに固定するために、つまみ（ストッパ部材）をネジ回す必要があり、手間と時間がかかる。
【００１０】
次に、前記特許文献１に記載された従来技術においては、スリーブのボディから突出する部分に螺合するつまみが必要であり、部品点数が増加するという問題や、スリーブのボディから突出する部分につまみを螺合するための雄ねじを形成すると共に、つまみの内周に雌ねじを形成する必要があり、加工工数が増加するという問題があり、又、これらの問題が相乗して製造コストが高くなるという問題がある。
【００１１】
ところで、例えば震災に遭遇した場合、特許文献１に開示されている従来技術によれば、ワイヤが係止部材で挟まれている１箇所で摩擦により係止されているに過ぎないので、一定以上の強力な衝撃が加わるとワイヤが滑ってワイヤクランプの位置がずれることがあり、この場合には、ワイヤクランプの位置を修正する必要がある。
【００１２】
ところが、前記従来技術の構成によれば、ワイヤに対して固定されているワイヤチャックを移動できるようにするためには、つまみ（ストッパ部材）をネジ戻す必要があり、手間と時間がかかる。しかも、位置調整や調整された位置にワイヤチャックを固定する作業は、上述したように、一人の作業者で行うのが困難である上、手間と時間がかかる。
【００１３】
そこで、本発明においては、ワイヤに固定される他物が予めワイヤチャックに固定されている状態でも、１人の作業者によって短時間で、容易に、かつ正確にワイヤチャックの位置調整が行えるのであり、又、位置を調整したワイヤチャックを短時間で、簡単に、かつ確実にワイヤに固定することができると共に、ワイヤの滑りや抜け外れが生じない安全性の極めて高い、しかも、安価な抜き通し型ワイヤチャックを提供することを目的とするものである。
【課題を解決するための手段】
【００１４】
本発明に係る抜き通し型ワイヤチャックにおいては、前記目的を達成するために、中心軸心に沿って貫通する異径孔を有するボディと、この異径孔に当該異径孔の軸心方向に進退可能に挿入されている中空軸状のスリーブと、このスリーブに当該スリーブの軸心と直交する方向に移動可能に支持させた少なくとも１個の係止部材と、前記異径孔内に配置され、且つ前記スリーブを付勢して前記係止部材を前記異径孔の異径部と前記スリーブに挿通されているワイヤとに押圧するスプリングとを備え、前記スリーブの押圧方向と反対側の一端部を前記ボディ外に突出させ、このスリーブの一端部の前記ボディから所定の距離を置いた位置に当該スリーブに挿通された前記ワイヤにかしめ付けられるかしめ部分が設けられることを特徴とする、との技術的手段を採用する。
【００１５】
即ち、本発明によれば、予め前記異径孔の大径部を下にして本発明を他物に連結した後、ワイヤを本発明の上から下に抜き通しておけば、片手で他物及びワイヤチャックの重量を支えながら、その片手の他の指でスリーブの一端部を引っ張ってワイヤチャックのチャック機能を解除することができるのであり、又、もう一方の手でワイヤを下に引っ張りながら他物及びワイヤチャックの高さを調整することができるので、予め他物が連結されているワイヤチャックを固定する位置を１人の作業者で短時間に、正確に、かつ容易に調整することができ、その結果、工期を短縮できるのである。
【００１６】
又、本発明において、ワイヤチャックの位置調節を行った後、例えばペンチ、やっとこ、プライヤなどの身近な工具を用いてかしめ部分をワイヤにかしめ付けるという、いわばワンタッチの作業で前記スリーブをワイヤに固定することができるので、簡単な作業で、短時間に、ワイヤクランプをワイヤに固定できる。
【００１７】
しかも、前記スリーブをワイヤにかしめ付けることによりスリーブがワイヤに固定されるので、係止部材をワイヤに押付けることによりスリーブをワイヤに対して固定する場合よりもワイヤの滑りが起こり難く、確実にワイヤチャックをワイヤに固定することができる上、このかしめに加えて係止部材によってもワイヤチャックがワイヤに固定されるので、耐震性能がすこぶる高くなるのである。
【００１８】
加えて、従来のスリーブをボディの異径孔の大径部側で、即ち、スプリングによりスリーブを付勢する方向と反対方向で、当該ボディの外側に突出させるだけの簡単な構成であり、ストップ部材を省略して部品点数を削減できる上、スリーブ及びストップ部材のネジ加工などが不要になり、加工工数及び加工時間を大幅に削減できるので、コストダウンして廉価に製造できるのである。
【００１９】
本発明に係る抜き通し型ワイヤチャックについて更に詳細に説明すれば、以下の通りである。
【００２０】
本発明において、ボディは、通常、例えば天井、壁、柱、床などの建築物の構造部材、配管、配線、照明ランプなどの灯具、スピーカ、集音器、マイクロフォンなどの音響機器、ビデオカメラ、ディスプレイパネル、スクリーンなどの映像機器、棚、ハンガーなどの種々の他物に固定したり、他物を吊持したりする連結構造を備える。
【００２１】
具体的には、例えば蛍光灯ランプの灯具をワイヤにより天井に吊下げるために灯具に固定されるボディとしては、特に限定されるものではないが、例えば外周にネジを形成した縦軸の脚と、その上端に連続する頭とを備える有頭ネジからなり、灯具の上板に形成した取付け孔に脚を上から挿通し、前記上板の下側に突出する脚に下側からナットを締付けることにより前記上板に固定される構成を備えるものを用いる。
【００２２】
このボディに形成される異径孔は、例えば円孔からなる大径部と円孔からなる小径部とこれらを連結するテーパ孔からなる異径部とを備えていればよい。又、これら大径部と小径部とは互いに他方に対して偏心させてあってもよいが、異径孔の加工工程数及び加工時間を削減すると共に、ボディの軸心周りの方向性をなくして組立作業性を高めるために、これら大径部と小径部とは同軸心状に配置することが好ましい。
【００２３】
もっとも、前記係止部材がくさび形、球形などのくさび作用を発揮できる形状に形成されている場合には、大径部と小径部とを円環状平面（段付面）からなる異径部で接続することも可能である。
【００２４】
又、前記大径部は、異径部の反対側で後述するスリーブ又はワイヤが進退可能に挿通されるバネ受座により閉塞され、このバネ受座に後述するスプリングの一端が受止められる。
【００２５】
もちろん、前記ボディの材質は特に限定されないが、一般には、鉄、鋼、銅、真鍮、青銅、ジュラルミンを含むアルミニューム合金、チタン合金等の金属、熱硬化性合成樹脂、熱可塑性合成樹脂などの合成樹脂が用いられる。
【００２６】
前記スリーブは、前記異径孔の大径部ないし異径部にわたって進退可能に挿入される大径軸部又は前記異径孔の異径部に対応するテーパ軸部を備え、この大径軸部又はテーパ軸部の前記バネ受座に対向する面に前記スプリングの他端を受止めるバネ受面が形成されている。
【００２７】
又、前記スリーブは、前記大径軸部又はテーパ軸部に連続して、前記ボディのバネ受座側端部からボディ外に延出される小径軸部、即ち、前記バネ受座に進退可能に挿通されてボディ外に突出する小径軸部を備える。
【００２８】
ここで、前記スリーブは、大径軸部又はテーパ軸部と小径軸部を別体に形成した後、捩じ込み、スナップ嵌合、圧入などにより連結することにより形成することも可能であるが、部品点数、組立工数、コストなど削減するために、一体の棒部材などからなる一部材を切削、研削、転造などの機械加工した一体物であることが好ましい。
【００２９】
又、前記大径軸部又はテーパ軸部の軸心とこの小径軸部の軸心は互いに他方に対して偏心させてもよいが、加工工程数及び加工時間を削減すると共に、スリーブの軸心周りの方向性をなくして組立作業性を高めるために、同軸心にすることが好ましい。
【００３０】
更に、前記スリーブには当該スリーブを軸方向に貫通するワイヤ挿通孔が形成される。
【００３１】
前記係止部材としては、円球体（ボール）、楕円球体、樽形体、円柱体などを用いることができるが、これらの他に、中空軸を周方向に複数に分割した割軸形状のシューを採用することが可能であり、このシューの外周面は、錐形面、例えば円錐面や、筒形面、例えば円筒面など、ボディの異径孔の内周面に倣う形状に形成することが好ましい。
【００３２】
前記スリーブに前記係止部材を当該スリーブの軸心と直交する方向に進退可能に支持する構造としては公知の構造が採用されるのであり、例えば前記係止部材が球体（ボール）で構成されている場合には、前記テーパ軸部や大径軸部を有するスリーブを用い、このテーパ軸部又は大径軸部にワイヤ挿通孔から該テーパ軸部又は大径軸部の外周面に貫通する横孔を形成し、この横孔に係止部材を進退自在に挿入する構造が採用される。
【００３３】
前記スプリングは、前記ボディに設けたバネ受座に一端が受止められ、他端が前記スリーブのバネ受面に受止められるばねであれば、特に限定されず、例えば筍ばね、皿ばね等を用いることも可能であるが、一般には、前記スリーブの小径部が挿通されるコイルバネが用いられる。
【００３４】
以上のように構成することにより、ボディに異径孔の小径部からワイヤを差込んで、ワイヤの先端をスリーブのワイヤ挿通孔に入れ、ワイヤのコシ（剛直性）を利用して引続き係止部材を押し下げながらその間隔を開き、更に係止部材の間を通ってワイヤ挿通孔の反対側に抜き通すことができるようになる。
【００３５】
そして、片手を前記他物の下にあてがってその重量を支えながら、本発明の下方に引出されているワイヤを反対側の手でつかんで適当にワイヤを緊張させた状態で、前記他物を所定の高さまで持上げるが、このようにして他物及び本発明を上昇させている間は、係止部材がスプリングの力によりワイヤの表面に密着しているので、他物を所定の位置まで持上げて手放すと、瞬時に、スプリングの力に他物の重量が加わった力で係止部材がワイヤの表面に押付けられ、ワイヤにワイヤチャックが固定される。
【００３６】
ワイヤに固定された他物及びワイヤチャックの高さは、これにより少なくとも大まかに調整することができ、熟練すると高精度に調整できるが、本発明によれば、更に、片手で前記他物の重量を支えると共に反対側の手でワイヤに適度の緊張を与えながら、前記片手の指でボディの下側に突出たスリーブの下端部をつまんで下に引下げることにより、ワイヤに係止部材を押圧する力を一部又は全部解除し、ワイヤに対して他物及び本発明を自由に上下に移動させて正確に他物及び本発明の高さを調整することができる。
【００３７】
この際、特にスリーブの引下げ具合を加減して、ワイヤに係止部材を押圧する力を部分的に解除するようにすると、他物及び本発明の昇降に対してブレーキを掛けて、他物及び本発明の上昇速度又は下降速度を微速に抑え、他物及び本発明の高さをすこぶる高精度に合わせることができる。
【００３８】
ところで、本発明においては、係止部材をスプリングで押えているため、振動により係止部材が異径孔の内径が大きくなる方向に移動し、ワイヤへの固定が緩んだり、解除されたりして固定位置がずれることや、最悪の場合にはワイヤから脱落することがあるという課題が内在している。
【００３９】
そこで、本発明においては、前記ボディ外に突出している前記スリーブの一端部に前記ボディから所定の距離を置いた位置で該スリーブに挿通された前記ワイヤにかしめ付けられるかしめ部分が設けられる。
【００４０】
これにより、上述のようにワイヤに対する他物及び本発明の高さを調整した後、たとえばペンチ、やっとこ、プライヤ等の一般的な工具を用いてかしめ部分をワイヤにかしめ付けると、ワイヤを係止部材で挟圧してスリーブをワイヤに固定する従来の構成よりも強固に、かつ直接的にスリーブをワイヤに固定することができる。
【００４１】
つまり、かしめという、いわばワンタッチの作業で、短時間に、簡単に、かつ、確実に本発明をワイヤに固定できるのである。
【００４２】
又、この構成によれば、前記スリーブがワイヤにかしめ付けられることにより、前記スリーブ及び前記係止部材のワイヤに対する位置が一定に保持されるので、前記スリーブが振動してチャック機能が一時的に緩和ないし解除されることがあっても、振動が収まればボディ及び他物のワイヤに対する位置がボディ及び他物の重量とスプリングにより復元され、ワイヤチャック及び他物の固定位置がずれたり、ワイヤチャック及び他物がワイヤから脱落したりするおそれがなくなる。
【００４３】
ここで、かしめ部分の前記ボディからの距離は、ボディの外側でスリーブをワイヤにかしめ付けることができる距離であれば特に限定されず、例えば前記ボディの端面にペンチ、やっとこ、プライヤなどの工具が擦り当たりながらかしめられるようなボディから至近の位置にかしめ部分を設定することも可能である。
【００４４】
しかし、本発明においては、本発明の請求項２に記載しているように、前記ボディとかしめ部分の間に、前記かしめ部分と同等以上の長さの余長部分と、該スリーブをワイヤにかしめ付けた後、前記かしめ部分と余長部分の間で切断工具によりスリーブ及びワイヤを切断するために要する長さの切断代が設けられていることが好ましい。
【００４５】
この構成によれば、例えば震災などによりワイヤに対する他物及び本発明の位置が下方にずれた場合や、他物が破損した場合には、前記スリーブを切断代で切断することにより、ボディから余長部分だけ長いワイヤを残して短時間で他物及び本発明を撤去することができる。
【００４６】
このようにスリーブの切断部でスリーブとワイヤを切断すると、廃却される本発明又は本発明と他物を撤去した後、他物に固定された新しい本発明に、残されたワイヤを挿通して、他物及び本発明の高さを所定の高さに調整すると、スリーブのボディから突出した部分においては少なくとも余長部分にワイヤが挿通されることになるので、この余長部分をワイヤにかしめ付けることにより、他物を所定の高さに支持することにワイヤを再利用できるのである。これにより、何らかの理由で他物が破損した時の交換費用を節約できるばかりではなく、震災地における復興工事など資材が不足勝ちになる場合には特に有用である。
【００４７】
ところで、本発明においては、本発明の請求項３に記載しているように、前記スリーブの一端部、即ち、ボディから突出する部分の周囲につまみを形成し、前記スリーブの一端部をつまみ易くすることが好ましい。
【００４８】
このつまみは、前記スリーブのボディ外に延出された一端部の外周に設けられることから、少なくとも前記小径軸部よりも大径に形成される。しかし、このつまみの軸方向の位置は、ボディ外に延出されたスリーブの一端部であれば特に限定されず、前記ボディの間近に形成しても、前記スリーブの一端に形成してもよいのである。
【００４９】
又、このつまみはスリーブと別体に形成された後、スリーブの周囲に、溶接、捩じ込み、接着などの手法により固定されるものであってもよいが、本発明においては、部品点数、組立工程数、組立工程時間などの増加と、これらの増加によるコストアップをなくすために、本発明の請求項４に記載しているように、スリーブと前記つまみが一体物であることが好ましい。
【００５０】
このつまみの軸方向から見た輪郭形状は特に限定されず、例えば円形、楕円形、小判形、４角形、６角形など任意の形状に形成してもよいのであり、又、軸方向に直角な方向から見たつまみの形状も特に限定されるものではなく、例えば長方形、円形、楕円形、小判形、４角形、６角形等、任意の形状に形成してもよいのである。
【００５１】
本発明においては、特に限定されないが、つまみを手指でつまんで引張り易くするために、本発明の請求項４に記載しているように、前記つまみと前記ボディとの間に所定の隙間が形成されていることが好ましい。
【００５２】
この隙間はつまみ全体にわたって一様な隙間であってもよく、又、角取り、Ｒ面取り、逆Ｒ面取りなどにより形成される中心側で狭くなる隙間であってもよいのである。
【００５３】
又、本発明においては、つまみをつまんだ指先からつまみが滑り抜けることを防止して操作性を良くするために、本発明の請求項５に記載しているように、前記つまみの外周面に滑り止め加工が施されていることが好ましい。
【００５４】
この滑り止め加工としては、ローレット加工、セレーション加工、、ネジ加工などの転造加工、切削加工等を採用すれば良いが、この他に樹脂コーティング、滑り止め塗装などを採用したり、ゴム、合成樹脂などを被冠する方法などを採用したりすることが可能である。
【００５５】
なお、つまみをボディの間近に設ける場合には、ボディから突出する前記スリーブの部分、即ち、一端部をボディ内の部分に連続してつまみを形成した部分と、この部分から分割された管状の部分とに分割して形成し、この分割された管状の部分にかしめ部分を設けたり、又、この分割された管状の部分に、必要に応じて、余長部分や切断部分を設けるように構成してもよい。
【００５６】
本発明において、スリーブは、例えばワイヤに圧着、熱圧着、接着などにより固定可能な合成樹脂で形成したり、鉄、鋼、銅、真鍮、アルミなどのかしめに適した金属で形成したりすることが好ましい。
【発明の効果】
【００５７】
以上に説明したように、本発明によれば、予め前記異径孔の大径部を下にして他物に連結し、ワイヤを前記ボディ及びスリーブに抜き通しておけば、片手で他物及びワイヤチャックの重量を支えながら、その片手の指でスリーブを引っ張って本発明のチャック機能を解除することができる上、もう一方の手でワイヤを下に引っ張りながら他物及びワイヤチャックの高さを調整することができるので、予め他物が連結されているワイヤチャックを固定する位置を１人の作業者が短時間で、容易に、かつ正確に調整することができ、工期を短縮できる上、工費を廉価にできるなどの効果を得ることができる。
【００５８】
又、本発明に係る抜き通し型ワイヤチャックおいては、ワイヤに対する本発明の高さを調整した後、スリーブに設けたかしめ部分をペンチなどの一般的な工具でワイヤにかしめ付けることにより、スリーブをワイヤに固定できるので、短時間で、簡単に、かつ容易にスリーブをワイヤに固定できる上、従来よりも強固にスリーブをワイヤに固定することができるなどの効果を得ることができる。
【００５９】
更に、本発明に係る抜き通し型ワイヤチャックは、従来のスリーブの形状を変更するだけの簡単な構成であり、ストップ部材を省略して部品点数や組立工程数を削減したり、スリーブ及びストップ部材のネジ加工工程を省略したりすることができ、その結果、大幅にコストダウンして安価に製造できる効果も得ることができる。
【００６０】
もちろん、本発明のかしめ部分はスリーブの一部を構成するものであるから、紛失するおそれはなく、又、ワイヤから強力な張力を受けてもボディに対する位置がずれたりするおそれはない。
【発明を実施するための最良の形態】
【００６１】
以下、本発明を実施するための最良の形態を図面に基づいて詳細に且つ具体的に説明する。
【００６２】
図１は、本発明に係る抜き通し型ワイヤチャックの縦断面図であり、この図１に示すように、このワイヤチャック１は、ボディ２と、このボディ２の中心軸心に沿って貫通させた異径孔３に当該異径孔３の軸心方向に進退可能に挿入されている中空軸状のスリーブ４と、このスリーブ４に当該スリーブ４の軸心と直交する方向に移動可能に支持させた複数個の鋼球からなる係止部材５と、前記異径孔３内に配置され、前記スリーブ４を付勢して前記係止部材５を前記異径孔３の異径部６と、前記スリーブ４に挿通されているワイヤ７とに押圧するスプリング８とを備えている。
【００６３】
前記ボディ２は、外周面にネジが形成された脚部９と、この脚部９の下端に連設され、当該脚部９よりも大径に形成された頭部１０とを備える有頭ボルト（六角ボルト）からなり、前記異径孔３は、上細りの前記異径部６と、これの下側に連続する大径部１１と、必要に応じて、前記異径部６の上側に連続する小径部１２とを備え、前記大径部１１の下端が、その中央部を除いてバネ受座１３により閉塞されている。なお、図示例では、小径部１２の上端部がワイヤ７の挿入を容易にするために外方に向かってラッパ状に拡大されているが、これに代えて、小径部１２の径が一定になるように直線状に形成しても良いのである。
【００６４】
前記スリーブ４は、例えば丸棒材から旋盤加工などの切削加工により形成された一体物であり、上端部が前記異径部６に対応するテーパ軸になっている大径軸部１４と、この大径軸部１４の下端に連続し、又、前記バネ受座１３の中央に形成されたスリーブ挿通孔１５に進退可能に挿通され、更に、前記ボディ２の外側まで延長された小径軸部１６とを備えている。
【００６５】
この小径軸部１６のボディ２の外に突出させた下端部には、前記ボディ２の間近で前記脚部９とほぼ同径に拡径されたつまみ１７と、このつまみ１７に順に連続する余長部分１８、切断部分１９及びかしめ部分２０が設けられている。
【００６６】
又、上記スリーブ４には、その軸心に沿って上端面から下端面まで貫通するワイヤ挿通孔２１が形成され、前記かしめ部分２０はこのワイヤ挿通孔２１に挿通されたワイヤ７にかしめ付けるために変形されるスリーブの部分である。
【００６７】
前記切断部分１９は、かしめにより互いに固定されたスリーブ４及びワイヤ７を切断するために、例えばワイヤカッタ、チェーンカッタなどの切断工具（利器）で切断するために必要な部分であり、例えば切断する面を挟んで切断工具の刃厚程度の幅を備えている。      
【００６８】
前記余長部分１８は、かしめ部分２０と同等以上の長さを備え、再使用ワイヤの下端部にかしめ付けられる。
【００６９】
もっとも、前記余長部分１８と切断部分１９の境界、前記切断部分１９とかしめ部分２０との境界は、例えばスリーブ４の下端から１０ｍｍ程度までの範囲がかしめ部分２０とされ、切断部分１９はかしめ部分２０の上から更に１０ｍｍ程度上までの範囲に設定されるが、実際にはつまみ１７の下に例えば１０ｍｍ程度以上の余長部分１９を残してスリーブ４及びワイヤ７が切断できるようにしてあれば、その境界を厳格に守る必要はないのである。
【００７０】
前記つまみ１７の形状は、軸方向から見て異径部６、大径部１１及び小径部１２と同軸心の円筒形に形成され、又、手指でつかみ易くするために、つまみ１７とボディ２の頭部１０との間には適当な隙間が形成されている。
【００７１】
更に、前記つまみ１７の外周面２２には、必要に応じて、ネジ加工、ローレット加工などによる滑り止め加工が施されている。
【００７２】
前記スリーブ４の大径軸部１４には前記ワイヤ挿通孔２１から外周面に貫通する複数のボール保持孔２３が形成され、この各ボール保持孔２３にそれぞれ１個の係止部材５が進退可能に、かつ回転自在に挿入されている。
【００７３】
なお、図示されていないが、平面視において、前記ボール保持孔２３は、ワイヤ７が前記ボディ２及びスリーブ４の中心軸心に挿通されるように、前記スリーブ４及び前記ワイヤ挿通孔２１の軸心を中心にして等角度置きに、例えば１２０°置きの３箇所に放射状に配置されている。
【００７４】
前記スプリング８は、前記大径部１１内に配置され、その一端が前記バネ受座１３に、他端が前記大径軸部１４と小径軸部１６とを繋ぐ段付面２４にそれぞれ受止められる１本のコイルバネからなる。なお、荷重条件によっては、スプリング８はコイルバネに代えて１枚又は複数枚の皿バネで構成してもよいのである。
【００７５】
ところで、例えば天井から吊下げる蛍光灯などの灯具の天板２５には前記ボディ２の脚部９が挿通される取付け孔２６が形成され、この取付け孔２６に下側から脚部９を挿通させ、平座金２７とバネ座金２８とを挟んで、脚部９の上側からナット２９を締付けることにより、前記ワイヤチャック１が前記天板２５に固定される。
【００７６】
なお、前記平座金２７とバネ座金２８との一方又は両方は省略してもよい。
【００７７】
この後、例えば天井の吊塚から懸垂させた前記ワイヤ７を前記小径部１２からワイヤ挿通孔２１に挿通する。前記灯具を片手で持ち、前記ワイヤ７の下端を前記係止部材５に当接させて当該係止部材５及び前記スリーブ４を下方に押し込むと、係止部材５が外側に押し退けられ、ワイヤ７の先端は簡単にワイヤ挿通孔２１の下方に通り抜ける。
【００７８】
ワイヤチャック１を通り抜けたワイヤ７の下端を片手で下方に引っ張って緊張させながら、灯具を所定の高さまで持上げて手放すと、ワイヤ７と異径部６とに当接している係止部材５がワイヤ７に連れて当該ワイヤ７と異径部６との間に食い込み、係止部材５、スリーブ４、ボディ２及び天板２５がワイヤ７に対して位置決めされる。
【００７９】
ここで、天板２５の位置が予め設計された位置よりも低い場合には、ワイヤ７の下端を片手で下方に引っ張って緊張させながら、天板２５を所定の高さまで持上げた後に手放すという手順で天板２５の高さが上方調整される。
【００８０】
反対に、天板２５の位置が予め設計された位置よりも高い場合には、一方の手でワイヤ７を引っ張って緊張させながら、他方の手で天板２５の前記ワイヤチャック１の近くを支え、つまみ１７をこの他方の手の、例えば親指と人差し指の２本の指で挟んで下方に引っ張ることによりワイヤチャック１のチャック機能を解除し、このチャック機能を解除させた状態で天板２５を所定の高さまで下げてつまみ１７を手放すという簡単な手順で天板２５の高さが下方調整される。
【００８１】
もっとも、片方の手で天板２５の前記ワイヤチャック１の近くを支え、つまみ１７をこの片方の手の、例えば親指と人差し指の２本の指で挟んで下方につまみ１７を加減しながら下方に引っ張ることによりワイヤチャック１のチャック機能を部分的に解除し、灯具の重量でワイヤ７を緊張させるとともに、ワイヤチャック１及び天板２５の下降にブレーキをかけながら天板２５を所定の高さまで下げてつまみ１７を手放すという手順で天板２５の高さを下方調整することもできる。
【００８２】
下方調整のいずれの手順においても、高さ調整の終期において、つまみ１７を加減しながら下方に引っ張り、ワイヤチャック１及び天板２５の下降にブレーキをかけながら天板２５の高さを調整すると、当該天板２５の高さ調整の精度を高めることができる。
【００８３】
天板２５の高さを予め設計された高さに調整してつまみ１７を手放すと、ワイヤチャック１のチャック機能が即座に回復され、天板２５は手で支えられている高さでワイヤ７に固定されるから、すこぶる正確に、かつ確実に短時間で天板２５の高さ調整ができる。
【００８４】
なお、特に高精度の高さ調整、例えばサブミリメートル以上の高精度が求められている場合には、前述のように、天板２５の高さ調整を行った後、前記ナット２４の締め加減を調整することにより天板２５の高さを、例えばバネ座金２７の変形範囲内で、微調整することが可能である。
【００８５】
ところで、前述のようにして天板２５の高さを調整した後、前記かしめ部分２０を例えばペンチを用いてワイヤ７にかしめ付けることにより、ワイヤ７にスリーブ４が、簡単に、いわばワンタッチの瞬間に、ワイヤ７に固定される。又、このかしめによる固定は、係止部材５による固定に比べて強力であり、係止部材５による固定ではワイヤ７の滑りが生じる程度に強烈な衝撃に対してもワイヤ７の滑りを防止することができる。しかも、前記スリーブ４は、このかしめと、係止部材５とによりワイヤ７に固定されるので、すこぶる強固にワイヤ７に固定されることになるのである。
【００８６】
ここで、前記かしめ部分２０は、一体物であるスリーブ４の一部分を構成するので、このワイヤチャック１によれば、従来技術のストッパ部材を用いずにスリーブ４をワイヤ７に固定でき、部品点数を削減することができる。
【００８７】
さて、このように構成された抜き通し型ワイヤチャック１によれば、前述したように、予め天板２５に固定されたワイヤチャック１が設計された高さよりも高く位置する場合には、一方の手でワイヤ７を緊張させ、他方の手で天板２５を支えながら前記つまみ１７を引下げた状態で天板２５を設計高さまで下げて前記つまみ１７を放すという、極めて簡単な手順で、短時間に、かつ正確に天板２５の高さ調整ができる結果、工期を短縮することができる。
【００８８】
又、このワイヤチャック１によれば、実質的にはスリーブ４の形状を変更しただけの簡単な構成であるばかりではなく、ストップ部材を省略して部品点数を削減することによりコストダウンができ、極めて経済的に実施できる。
【００８９】
更に、前記スリーブ４のかしめ部分２０をワイヤ７にかしめ付けることにより、ワイヤ７に対するスリーブ４及び係止部材５の位置を確実に保持することができるのであり、又、前記スプリング８の弾力により地震などの振動に伴う衝撃を緩衝してワイヤ７が切断されることを防止できる上、地震などの振動により一時的に係止部材５によるチャック機能が緩んだり、解消されたりすることがあっても、かしめ部分２０のかしめ付けによるチャック機能が解消されることはないので、振動が沈静して前記スプリング８により係止部材５によるチャック機能が回復される時にはボディ２及び灯具（天板２５）が確実に元の高さに支持され、ワイヤチャック１及び灯具の位置がずれたり、ワイヤチャック１及び灯具がワイヤ７から抜け落ちたりするおそれはなくなるのである。
【００９０】
震災などにより灯具が損傷ないし破損した場合には、灯具を交換するために、前記スリーブ４の切断部分１９を例えばペンチのワイヤカッタ部分で挟んで切断すると、かしめ部分２０とこれがかしめ付けられているワイヤ７の部分が切り離され、取り外すことができるのである。そして、つまみ１７をつまんで下方に引下げることにより係止部材５によるチャック機能を解除すると、例えば吊塚から垂下ったワイヤ７からワイヤチャック１の残部と灯具を容易に引き抜くことができ、短時間でワイヤチャック１と灯具を撤去することができる。
【００９１】
ここで、例えば吊塚に垂下って残っているワイヤ７は、設計された高さに固定されたワイヤチャック１の少なくとも余長部分１８の中まで垂下る長さを持っている。従って、新しい灯具に取付けられた新しいワイヤチャック１の上方から残されたワイヤ７を差込み、高さ調整をし、前記余長部分をワイヤ７にかしめ付けることにより、係止部材５によるチャック機能とスリーブ４のワイヤ７へのかしめによるチャック機能によりスリーブ４をワイヤ７に固定することができる上、ワイヤ７を再利用できるのである。又、切断部以下が廃棄されたワイヤチャック１も再利用することができる。このワイヤ７及びワイヤチャック１の再利用は、何らかの理由で破損した他物の交換費用の節約になるばかりでなく、例えば震災地など資材の供給が制約され勝ちな所における資材の確保に大きく寄与するものである。
【００９２】
図２は、本発明の他の実施例に係る抜き通し型ワイヤチャックの縦断側面図である。
この図２に示す実施例では、抜き通し型ワイヤチャック１において、ボディ２の頭部１０が脚部９の上端に連設され、前記天板２５の上側から脚部９を取付け孔２３に挿通し、この脚部９の下側からナット２６を螺定してワイヤチャック１を天板２５に固定し得るように構成されている。
【００９３】
この実施例のその他の構成、作用ないし効果は前記本発明の一実施例のそれらと同様であるので、重複説明を避けるため省略する。
【００９４】
図３は、本発明の又他の実施例に係る抜き通し型ワイヤチャックの縦断側面図であり、このワイヤチャック１のつまみ１７は、前記ボディ２外に突出させた前記小径軸部１６の下端部に所定の範囲で摺動可能に、かつ、回転自在に外嵌させた袋ナットで構成されている。
【００９５】
このつまみ１７は、ワイヤ７に対する天板２５及びワイヤチャック１の高さ調整をした後、前記ボディ２の頭部１０から下方に連出されたネジ軸３０に螺合され、前記スリーブ４を係止部材５がワイヤ７を締付ける方向に押し込んで、振動により係止部材５のチャック機能の弛緩ないし解除が生じないように構成している。
【００９６】
又、前記スリーブ４の余長部分１８、切断部分１９及びかしめ部分２０は、ボディ２に締付けたつまみ１７よりも下方に突出する小径軸部１６の部分に設けられている。
【００９７】
この実施例によれば、ワイヤ７に対してボディ２及び天板２５は上下両方向に遊びの無い状態で固定され、ワイヤチャック１は係止部材５とかしめとにより非常に強固にワイヤ７に固定される。
【００９８】
この実施例のその他の構成、作用ないし効果は、上記本発明の一実施例におけるそれらと同様であるので、重複説明を避けるため省略する。
【００９９】
なお、この実施例では、つまみ１７をボディ２にネジ止めし得る袋ナットで構成しているが、ボディ２のネジ軸３０に代えて、例えば周溝を有する延長軸を頭部１０の下側に連出し、つまみ１７を、上に開放された穴を有し、且つ前記延長軸に下方から嵌脱されるキャップで構成し、このつまみ１７の内周面に前記周溝に対応する突条を形成して、つまみ１７をボディ２の延長軸に外嵌すると、前記集溝と突条が噛合ってつまみ１７がボディ２に保持されるように構成してもよいのである。
【０１００】
この場合、ワイヤ７の太さの種類に対応するには、軸方向に複数の周溝を形成しておけばよいのである。
【０１０１】
図４は本発明の又更に他の実施例に係る抜き通し型ワイヤチャックの縦断側面図であり、このワイヤチャック１のつまみ１７は、前記ボディ２外に突出させた前記小径軸部１６の下端部に形成される。又、前記余長部分１８、切断部分１９及びかしめ部分２０は、前記ボディ２とこのつまみ１７の間に設けられる。
【０１０２】
この実施例のその他の構成、作用ないし効果は、上記本発明の一実施例におけるそれらと同様であるので、重複説明を避けるため省略する。
【０１０３】
図５は、前例、即ち、本発明の又更に他の実施例に係るワイヤチャック１の構成に、前記ボディ２に捩じ込むことにより前記係止部材５をワイヤ７に締付ける栓３１を加えたものである。
【０１０４】
この実施例によれば、ワイヤ７に対する天板２５及びワイヤチャック１の高さ調整をした後、前記栓３１をボディ２の頭部１０に捩じ込めて、前記係止部材５を当該係止部材５がワイヤ７を締付ける位置に保持することにより、振動により係止部材５のチャック機能の弛緩ないし解除が生じることが防止される。
【０１０５】
なお、この実施例においては、図６に示すように、前記栓３１に代えて、袋ナット３２を用いてもよい。この袋ナット３２はボディ２の頭部１０から下方に連出されたネジ軸３０に螺合されている。
【０１０６】
図７は、本発明の以上の実施例に係る抜き通し型ワイヤチャック１の縦断側面図であり、この実施例ではつまみ１７を省略することにより、一層大幅にコストダウンを図ることができるのである。
【０１０７】
又、この実施例のその他の構成、作用ないし効果は、上記本発明の一実施例におけるそれらと同様であるので、重複説明を避けるため省略する。
【産業上の利用可能性】
【０１０８】
以上の説明ではワイヤチャック１が灯具の懸垂支持に用いられているが、このワイヤチャック１の用途は、これに限定されるものではなく、灯具以外の他物、例えば天井板、配管、配線、棚などの懸垂支持、ワイヤの継足し、ワイヤの緊張などにも広く利用することができるのである。
【図面の簡単な説明】
【０１０９】
【図１】図１は、本発明に係る実施例の抜き通し型ワイヤチャックを示す縦断側面図である。
【図２】図２は、本発明に係る他の実施例の抜き通し型ワイヤチャックを示す縦断側面図である。
【図３】図３は、本発明に係る又他の実施例の抜き通し型ワイヤチャックを示す縦断側面図である。
【図４】図４は、本発明に係る更に他の実施例の抜き通し型ワイヤチャックを示す縦断側面図である。
【図５】図５は、本発明に係る又更に他の実施例の抜き通し型ワイヤチャックを示す縦断側面図である。
【図６】図６は、本発明に係る他の実施例の抜き通し型ワイヤチャックを示す縦断側面図である。
【図７】図７は、本発明に係る更に他の実施例の抜き通し型ワイヤチャックを示す縦断側面図である。
【符号の説明】
【０１１０】
１  ワイヤチャック
２  ボディ
３  異径孔
４  スリーブ
５  係止部材
６  異径部
７  ワイヤ
８  スプリング
１１  大径部
１７  つまみ
１８  余長部分
１９  切断部分
２０  かしめ部分
【図１】
2005265117.tif 000003
【図２】
2005265117.tif 000004
【図３】
2005265117.tif 000005
【図４】
2005265117.tif 000006
【図５】
2005265117.tif 000007
【図６】
2005265117.tif 000008
【図７】
2005265117.tif 000009